(57)【要約】【課題】スイングする通風・採光窓に連動してルーバーの傾斜角を順次変えることができる窓のスイングに連動するルーバーを提供する。【解決手段】スイングする窓１１とルーバー１２の傾斜角調整レバー１２ａとの間に屈折リンク１４を介在させ、この屈折リンク１４の支承側ロッド１４ｄ端を支持位置循環変更機構１３の揺動片１５に回動自在に取り付け、中間軸１４ａに嵌めたローラー１４ｂをスイングする窓１１の裏側に当接し、作用側ロッド１４ｃの端をルーバー１２の傾斜角調整レバー１２ａに連結してなる。【選択図】図４
2005315045.tif 000002
【特許請求の範囲】
【請求項１】
スイングする窓とブラインドルーバーの傾斜角調整レバーとの間に、運動伝達機構を介在させて、窓のスイングとブラインドルーバーの傾斜角調整を連動するようにした採光・通風調整窓。
【請求項２】
上記ブラインドルーバーが常に開く方向または閉じる方向に付勢され、上記運動伝達機構は、揺動端が窓枠に当接するレバーまたは屈折リンクである請求項１に記載の採光・通風調整窓。
【請求項３】
上記ブラインドルーバーが常に開く方向または閉じる方向に付勢され、上記運動伝達機構は、ロープまたは伸縮可能ロッドである請求項１に記載の採光・通風調整窓。
【請求項４】
上記運動伝達機構は、揺動端を窓に当接させたレバーの回動軸に歯車を設け、この歯車の回転運動を直接または間接的にブラインドルーバーの傾斜角調整軸に伝達するものである請求項１に記載の採光・通風調整窓。
【請求項５】
上記運動伝達機構は、屈折リンクの支承側端を、支持位置循環変更機構の揺動片に回動自在に取り付け、中間軸に嵌めたローラーをスイングする窓枠に当接させ、作用側端をブラインドルーバー傾斜角調整レバーに連結してなる請求項１または２に記載の採光・通風調整窓。
【請求項６】
上記運動伝達機構は、屈折リンクの中間軸に嵌めたローラーをスイングする窓枠に当接させ、屈折リンクの支承側端を、ブラインドルーバーの枠体に回動自在に取り付け、屈折リンクの作用側または支承側に、窓をスイングさせる毎にその長さを変える機構を設けてなる請求項１または２に記載の採光・通風調整窓。
【請求項７】
上記ブラインドルーバーは、半透明ガラス板からなる請求項１乃至６のいずれかに記載の採光・通風調整窓。
【発明の詳細な説明】
【技術分野】
【０００１】
この発明は、採光・通風窓（以下、単に窓という）の開閉操作によって、ブラインドルーバー（以下、単にルーバーという）の傾斜角を順次変えることができる採光・通風調整窓に関する。
【背景技術】
【０００２】
建物の明り取りや通風窓、例えば、住宅の便所や風呂に設けられる窓には、外部から覗き見できないようにルーバーが取り付けられ、とりわけ、高層住宅では共用廊下に面して便所や風呂が設置されている場合が多く、外部からの覗き見や不法侵入の防止策が重視されている。
【０００３】
上記外部からの覗き見や不法侵入の防止策として、窓枠の外側に面格子を取り付け、窓ガラスに金網を埋め込んだ半透明ガラスを嵌めこんだものが採用されてきた。
【０００４】
また、最近ではルーバーを窓枠の外側に取り付けて通気と採光の調節を可能にし、ガラス窓を開けた状態でも覗き見ができず、不法侵入を防止できるものが採用されるようになっている。
【発明の開示】
【発明が解決しようとする課題】
【０００５】
上記従来技術のルーバーは、壁の外側に取り付けられている（図４参照）ためフィンの傾斜角の調整が不便であり、調整している最中に共用廊下から覗き見されてしまう恐れがある。
【０００６】
しかも、高層住宅の風呂・便所等の窓はスイング枠になっていて（図４参照）ルーバーの傾斜角調整が一層困難になっており、屋内から簡単に操作のできるルーバーが求められている。
【０００７】
上記状況に鑑みこの発明は、スイングする通風・採光窓に連動してルーバーの傾斜角を順次変えることができる採光・通風調整窓を提供することを課題とする。
【課題を解決するための手段】
【０００８】
上記課題を解決するためにこの発明は、スイングする窓とブラインドルーバーの傾斜角調整レバーとの間に、運動伝達機構を介在させて、窓のスイングとブラインドルーバーの傾斜角調整を連動するようにしたもので、上記ブラインドルーバーが常に開く方向または閉じる方向に付勢され、上記運動伝達機構として、（ａ）揺動端が窓枠に当接するレバーまたは屈折リンクを採用したもの、（ｂ）ロープまたは伸縮可能ロッドを採用したもの、（ｃ）揺動端を窓に当接させたレバーの回動軸に歯車を設け、この歯車の回転運動を直接または間接的にブラインドルーバーの傾斜角調整軸に伝達するようにしたもの、（ｄ）屈折リンクの支承側端を、支持位置循環変更機構の揺動片に回動自在に取り付け、中間軸に嵌めたローラーをスイングする窓枠に当接させ、作用側端をブラインドルーバー傾斜角調整レバーに連結してなるもの、（ｅ）屈折リンクの中間軸に嵌めたローラーをスイングする窓枠に当接させ、屈折リンクの支承側端を、ブラインドルーバーの枠体に回動自在に取り付け、屈折リンクの作用側または支承側に、窓をスイングさせる毎にその長さを変える機構を設けてなるものを採用することができる。
【発明の効果】
【０００９】
上記の如く構成するこの発明によれば、スイングする窓（以下、単に窓という）をスイングさせる毎にルーバーの傾斜角が変わるので簡単にルーバーの角度を変えることができ覗き見される心配がなくなる。
【発明を実施するための最良の形態】
【００１０】
次にこの発明の実施の形態を、図面を参照しながら説明する。図１は、この発明に係るルーバーに連動する窓の動作説明図で、同図（ａ）は、窓１１を開いた状態でルーバー１２が開、同（ｂ）は、窓１１を閉じた状態でルーバー１２が開、同（ｃ）は、窓１１を開いた状態でルーバー１２が開、同（ｄ）は、窓１１を閉じた状態でルーバー１２が閉、同（ｅ）は、窓１１を開いた状態でルーバー１２が閉、同（ｆ）は、窓１１を閉じた状態でルーバー１２が閉となって、窓１１のスイングを繰り返す毎に上記順番でルーバー１２が開・閉をするようになっている。
【００１１】
また、窓が開でルーバー全閉、窓が閉でルーバー閉、窓が開でルーバー半開というように順次窓とルーバーの開閉具合を変え、さらに、その順序を適宜入れ替えたりすることもできる。
【実施例１】
【００１２】
第一実施例を図２乃至図４を参照しながら説明する。ルーバー１２の枠体１２ｆに支持位置循環変更機構１３が取り付けられ、窓枠１１ｆの裏側には屈折リンク１４の中間軸１４ａに取り付けられたローラー１４ｂが接し、屈折リンク１４の作用側ロッド１４ｃの端はルーバー１２の傾斜角調整レバー（以下、単にレバーという）１２ａに連結され、支承側ロッド１４ｄの端は、支持位置循環変更機構１３の揺動片１５に連結されている。
【００１３】
図４において、窓枠１１ｆのスイングによって屈折リンク１４の中間ローラー１４ｂは揺動し、作用側ロッド１４ｃの端は、ルーバー１２のレバー１２ａを押してルーバー１２の傾斜角を変える運動をし、このとき、支承側ロッド１４ｄの端は、支持位置循環変更機構１３の揺動片１５に回動自在に取り付けられている。
【００１４】
支持位置循環変更機構１３は、図２、図３のようになっており、ケース１６内部の底部分にバネ座１７、中間のやや上に摺動軸１８の軸受け１９と、上端に角軸２０の軸受け２１が、さらに、軸受け１９と角軸２０の軸受け２１との間でケース１６の奥内面に外側部材２２と内側部材２３を取り付けて鋼球２４の周回カム溝２５が形成されている。
【００１５】
一方、上記ケース１６内に嵌めこまれる部材として、下側に摺動軸１８、この摺動軸１８に、図に表れてないビスネジによって固着された揺動片１５、上記摺動軸１８の上端に横方向に鋼球移動溝２６ａを設けた鋼球支持片２６を介して角軸２０が一体に設けられ、上記摺動軸１８には圧縮コイルスプリング２７が嵌められ、上記角軸２０の上方には引張りコイルスプリング２８が延びている。
【００１６】
ケース１６内に上記各部材が嵌め込まれると、蓋体２９が被せられ図示しないビスネジで固定され、さらに蓋体２９の上方に上記引張りコイルスプリング２８を引き上げるハンガーブラケット３０が取り付けられ、このハンガーブラケット３０の上端に上記引張りコイルスプリング２８が引っかけられる。
【００１７】
上記のように構成する支持位置循環変更機構１３は、図４に示すようにルーバー１２の枠体１２ｆに取り付けられ、その揺動片１５には支承側ロッド１４ｄの端が回動可能にビスネジ等により取り付けられ、作用側ロッド１４ｃと支承側ロッド１４ｄは中間軸１４ａにより連結され、該中間軸１４ａにローラー１４ｂが嵌められている。
【００１８】
作用側ロッド１４ｃの端は、ルーバー１２の傾斜角調整レバー１２ａの端に連結され、窓枠１１ｆがスイングするたびに屈折リンク１４は屈伸し、ルーバー１２の傾斜角調整レバー１２ａを上げ下げする。
【００１９】
一方、支承側ロッド１４ｄの端は、揺動片１５にピンを介して可回動に支承されていて、窓枠１１ｆのスイングのたびに揺動片１５は摺動軸１８、角軸２０および鋼球支持片２６と共に上下に摺動し、鋼球２４は鋼球支持片２６の鋼球移動溝２６ａを左右に移動しながら周回カム溝２５を周回することとなる。
【００２０】
ここで周回カム溝２５を周回する鋼球２４と揺動片１５との位置関係を、図２を参照しながら説明する。最初の鋼球２４の位置はどこでもよいが、とりあえず鋼球２４がａの位置にあって窓１１を開から閉にスイングするとｂの位置に移動し、以下順を追って、窓１１が開にスイングして鋼球２４がｃに、閉にスイングして鋼球２４がｄを経てｅに、開にスイングして鋼球２４がｆに、閉にスイングして鋼球２４がｇに、開にスイングして鋼球２４がｈを経てａに戻り、以下同様に繰り返される。
【００２１】
鋼球２４の位置が上記のように順に変化することは、図３の説明で分かるように摺動軸１８に固定された揺動片１５の位置が上下に変化するものであるから、ルーバー１２の傾斜角調整レバー１２ａを上げ下げする位置関係が変化し、その結果ルーバー１２の開・閉を繰り返すこととなる。
【００２２】
以上説明したように、この実施例によれば、窓１１をスイングするたびに支持位置循環変更機構１３の作用により、支承側ロッドを支える揺動片１５の位置が順次変化することによりルーバー１２の傾斜角、即ち、開度が順次変化することとなる。
【実施例２】
【００２３】
次に第二実施例を図５、図６を参照しながら説明する。この実施例は、スイングする窓枠１１ｆとルーバーの傾斜角調整レバー１２ａとの間に屈折リンク１４を介在させ、この屈折リンク１４の中間軸１４ａに嵌めたローラー１４ｂをスイングする窓枠１１ｆに当接させ、屈折リンク１４の支承側ロッド１４ｄの端をルーバー１２の枠体１２ｆに回動自在に取り付け、上記屈折リンク１４の作用側ロッド１４ｃに、窓枠１１ｆをスイングさせる毎に、その長さを変える機構３１を設けたものである。
【００２４】
窓枠１１ｆがスイングする毎に作用側ロッド１４ｃの長さを変える機構３１は、図５に示すように上端に雄ネジ３２を設けた下側外筒３３の中に、上端にラチェット３４を形成し、このラチェット３４の外周面で二個おきに軸方向の長溝３５が設けられ、中心に軸方向の穴３６を設け、下端にピボット３７を構成した回動軸３８が挿入されている。なお、上記長溝３５は、長・短二種類としている。
【００２５】
一方、下端に雌ネジ３９を設けた上側外筒４０の中には、下側中心に心棒４１が延び周囲がシリンダー４２となって、そのシリンダー４２の下端内面に上記ラチェット３４に噛合い、幅が上記長溝３５に嵌る単歯４３を設けたプランジャー４４がコイルスプリング４５を介在させて挿入されている。
【００２６】
下側外筒３３の雄ネジ３２に上側外筒４０の雌ネジ３９を螺合して上・下外筒３３，４０を一体にすると、プランジャー４４の心棒４１は回動軸３８の穴３６に臨み、シリンダー４２の内面に設けた単歯４３は、ラチェット３４に噛合うか長溝３５に滑り込む。
【００２７】
上記コイルスプリング４５の上端は、プランジャー４４の外鍔４６に当接し、下端は上側外筒４０の内鍔４７が当接してプランジャー４４を上方に付勢し、上側外筒４０の頂部にはキャップ４８が被せられてプランジャー４４が飛び出さないようになっている。
【００２８】
上記のように構成する長さを変える機構の作用を説明するために、ラチェット３４の外周を展開し、それに単歯４３を配置した展開図を図６で著し、その動作を模擬的に説明すると、プランジャー４４をコイルスプリング４５の付勢に抗して押し込むと、単歯４３が長溝３５に位置して、その長溝３５の深さだけプランジャー４４が沈むことになる。
【００２９】
次にプランジャー４４を、押し込む力を除去するとコイルスプリング４５の付勢によりプランジャー４４が元に戻り、その時点で単歯４３の先端が隣のラチェット３４の先端に移り、次にプランジャー４４を押すと長溝３５のないラチェット３４に噛合ってプランジャー４４が沈まず、プランジャー４４を押す力を除去すると単歯４３の先端が長溝３５のあるラチェット３４の先端に移り、プランジャー４４をコイルスプリング４５の付勢に抗して押し込むと、単歯４３が長溝３５に進入してプランジャー４４が長溝３５の深さだけ沈むこととなる。
【００３０】
上記機構を屈折リンク１４の作用側ロッド１４ｃに組み込むことにより、単歯４３が長溝３５の長い方に進入するとルーバー１２は開かず、長溝３５の短い方に進入するときルーバー１２は中開きになり、長溝のない部分に位置するときルーバー１２は全開になる。
【００３１】
また、窓１１のスイングは開・閉であるのに対し、上記長溝とラチェットの位置設定によって、窓のスイングを開としてルーバーを閉−開−中開に、窓のスイングを閉としてルーバーを閉−開−中開に順次変えることができる。
【００３２】
さらに、図５に示すように、回動軸３８の下端にピボット３７を構成し、該ピボット３７の中心（回動軸下端）と下側外筒３３の底面との間にスプリング４９を介在させて回動軸３８を僅かに浮かせ、下側外筒３３底面周囲と回動軸３８の下端周囲に、上記ラチェット３４と同一ピッチのラチェット５０を１／２ピッチだけ位相させて配置すると、図６で説明した単歯４３とラチェット３４との噛合いの移り変わりが一層確実になる。
【実施例３】
【００３３】
図７は実施例３に係り、窓枠１１ｆの裏面に屈折リンク１４の中間軸１４ａに取り付けられたローラー１４ｂが接し、屈折リンク１４の作用側ロッド１４ｃの端はルーバー１２のレバー１２ａに連結され、支承側ロッド１４ｄの端はルーバー１２の枠１２ｆに回動自在に取り付けられ、作用側ロッド１４ｃと支承側ロッド１４ｄとの間にコイルスプリング２８ｂが掛け渡されている。
【００３４】
従って、ルーバー１２は引張りコイルスプリング２８ｂにより常に閉じる方向に付勢されているので、窓枠１１ｆを開けるとローラー１４ｂは従動してルーバー１２は閉じ、窓枠１１ｆを閉めるとローラー１４ｂは引張りコイルスプリング２８ｂの付勢に抗して押し込まれてルーバー１２は開くことになる。
【実施例４】
【００３５】
図８は実施例４に係り、ルーバー１２の取り付け枠１２ｆに回動自在に取り付けられたＬ形リンク１４ｘを窓枠１１ｆの裏側にはローラー１４ｂが接し、Ｌ形リンク１４ｘの作用側端はルーバー１２のレバー１２ａに連結されている。なお、この場合はＬ形リンク１４ｘの支持軸１４ｚまたはルーバー１２の支持軸１２ｚに図示しないトーションスプリングが装着されて常にルーバー１２が閉じる方向に付勢されている。
【００３６】
従って、窓枠１１ｆを開けるとローラー１４ｂは従動してルーバー１２を閉じ、窓枠１１ｆを閉めるとローラー１４ｂは図示しないトーションプリングの付勢に抗して押し込まれルーバー１２は開くことになる。
【実施例５】
【００３７】
図９は実施例５に係り、ルーバー１２の支持軸１２ｚにレバー１４ｙが回動自在に取り付けられ、その揺動端に取り付けられたローラー１４ｂは窓枠１１ｆの裏面に接し、上記レバー１４ｙの回動軸１４ｒには図示しないトーションスプリングが装着されて常にルーバー１２は開く方向に付勢されている。
【００３８】
従って、窓枠１１ｆを開けるとローラー１４ｂは従動しルーバー１２は開き、窓枠１１ｆを閉めるとローラー１４ｂは図示しないトーションプリングの付勢に抗して押し込まれルーバー１２は閉じることになる。
【実施例６】
【００３９】
図１０は実施例６に係り、ルーバー１２の枠体１２ｆに軸受けＢが設けられ、この軸受けＢにレバー１４ｙの回動軸１４ｚが支承され、この回動軸１４ｚに歯車Ｇ1 を嵌められ、この歯車Ｇ1 は中間歯車Ｇ2 を介してルーバー１２の支持軸１２ｚに嵌められた歯車Ｇ3 に噛合い、レバー１４ｙの回動軸１４ｚには図示しないトーションスプリングが装着されて矢印方向に付勢され、レバー１４ｙの揺動端にはローラー１４ｂが嵌められて窓枠１１ｆの開閉に追従するようになっている。
【００４０】
従って、窓枠１１ｆを開けるとローラー１４ｂは従動しルーバー１２は閉じ、窓枠１１ｆを閉めるとローラー１４ｂは図示しないトーションプリングの付勢に抗して押し込まれルーバー１２は開くことになる。
【００４１】
なお、図示しないがルーバーの回動軸にトーションスプリングを配して常に閉じる方向に付勢しておき、窓枠１１ｆと傾斜角調整レバー１２ａとの間に伸びきる直前に傾斜角調整レバー１２ａを作動させるロープまたは伸縮可能ロッドを介在させると、窓が開でルーバーが開、窓が閉でルーバーが閉とすることができる。
【００４２】
また、ルーバーを常に開になるよう付勢して傾斜角調整レバー１２ａを逆の位置に伸ばし、窓枠１１ｆと傾斜角調整レバー１２ａとの間に伸びきる直前に傾斜角調整レバー１２ａを作動させるロープまたは伸縮可能ロッドを介在させると、窓が開でルーバーが閉、窓が閉でルーバーが開とすることができる。
【実施例７】
【００４３】
図１１は実施例７に係り、ルーバー１２は枠体５１に嵌められた半透明のガラス板５２からなっており、この枠体５１は、くの字状に曲がったレバー５３の支点軸５４で回転可能に支持され、このレバー５３の揺動端５５は連結ロッド５６に連結されている。
【００４４】
一方窓枠１１ｆには、屈折リンク１４の支承側ロッド１４ｄ端が回動自在に取付けられ、作用側ロッド１４ｃは上記連結ロッド５６に連結されて、窓１１が開閉されるごとに連結ロッド５６が上下動してルーバー１２が開閉されるようになっている。なお、この実施例の場合も実施例１から実施例６の運動伝達機構を適宜採用することができる。
【産業上の利用可能性】
【００４５】
以上説明した通りこの発明は、高層住宅に明り取り窓、通風窓と共に設置されるブラインドルーバーの操作が、上記窓をスイングさせることによりルーバーの開き、閉じ具合を調整できるようになり、この分野では、これまで全く無かったもので、広範な需要化のなかで期待されており、産業上利用可能性の大きいものである。
【図面の簡単な説明】
【００４６】
【図１】第一実施例における窓のスイングとルーバーの傾斜の説明図で、（ａ）窓開、ルーバー開，（ｂ）窓閉、ルーバー開，（ｃ）窓開、ルーバー開，（ｄ）窓閉、ルーバー閉，（ｅ）窓開、ルーバー閉，（ｆ）窓閉、ルーバー閉の順序で作動することを示す。
【図２】同周回カム溝と鋼球の移動経路の説明図
【図３】同支持位置循環変更機構の分解斜視図
【図４】第一実施例の要部断面図
【図５】第二実施例の要部断面図
【図６】同機能説明図
【図７】第三実施例の要部断面図
【図８】第四実施例の要部断面図
【図９】第五実施例の要部断面図
【図１０】第六実施例の要部断面図
【図１１】第七実施例の要部断面図
【符号の説明】
【００４７】
１１  窓
１１ｆ  窓枠
１２  ルーバー
１２ａ  レバー（ルーバーの）
１２ｚ  支持軸（ルーバーの）
１３  支持位置循環変更機構
１４  屈折リンク
１４ａ  中間軸
１４ｂ  ローラー
１４ｃ  作用側ロッド
１４ｄ  支承側ロッド
１４ｒ  回動軸
１４ｘ  Ｌ形リンク
１４ｙ  レバー
１４ｚ  回動軸
１５  揺動片
１６  ケース
１７  バネ座
１８  摺動軸
１９  軸受け
２０  角軸
２１  軸受け（角軸の）
２２  外側部材
２３  内側部材
２４  鋼球
２５  周回カム溝
２６  鋼球支持片
２７  圧縮コイルスプリング
２８，２８ｂ  引張りコイルスプリング
２９  蓋体
３０  ハンガーブラケット
３１  長さを変える機構
３２  雄ネジ
３３  下側外筒
３４，５０  ラチェット
３５  長溝
３６  穴
３７  ピボット
３８  回動軸
３９  雌ネジ
４０  上側外筒
４１  心棒
４２  シリンダー
４３  単歯
４４  プランジャー
４５  コイルスプリング
４６  外鍔
４７  内鍔
４８  キャップ
４９  スプリング
５１  枠体
５２  半透明のガラス板
５２  レバー
５４  支点軸
５５  揺動端
５６  連結ロッド
【図１】
2005315045.tif 000003
【図２】
2005315045.tif 000004
【図３】
2005315045.tif 000005
【図４】
2005315045.tif 000006
【図５】
2005315045.tif 000007
【図６】
2005315045.tif 000008
【図７】
2005315045.tif 000009
【図８】
2005315045.tif 000010
【図９】
2005315045.tif 000011
【図１０】
2005315045.tif 000012
【図１１】
2005315045.tif 000013